【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
物品の製造装置に含まれ材料から製造される前記物品の種類に応じて交換される少なくとも１つの可換部材と、
前記可換部材において設けられた標識と、
前記標識に形成されたパターンと、
前記パターンを光学的に読み取る読取部と、
読み取られた前記パターンに基づいて、前記可換部材を特定する情報を含む第１の情報を得る解読部と、
前記可換部材を特定する情報を少なくとも含む予め記憶された第２の情報に基づいて、前記製造装置の動作を制御する制御部と、
前記第１の情報と前記第２の情報とを比較して判別を行う判別部とを備え、
前記制御部は、前記判別の結果に基づいて前記第２の情報に対して前記可換部材が適合する場合には、前記製造装置が動作するように前記製造装置を制御し、
前記制御部は、前記判別の結果に基づいて前記可換部材が前記第２の情報に対して適合しない場合には、前記第２の情報に対して前記可換部材が適合しないことを前記製造装置が示すように前記製造装置を制御することを特徴とする物品の製造装置。
【請求項２】
請求項１に記載された物品の製造装置において、
前記判別の結果に基づいて前記第２の情報に対して前記可換部材が適合する場合には、前記可換部材を使用して製造された物品の履歴に関する情報が追跡され得ることを特徴とする物品の製造装置。
【請求項３】
請求項１又は２に記載された物品の製造装置において、
前記制御部は、前記判別の結果に基づいて前記可換部材が前記第２の情報に対して適合しない場合には、前記製造装置が動作しないように前記製造装置を制御することを特徴とする物品の製造装置。
【請求項４】
請求項３に記載された物品の製造装置において、
前記制御部は、前記製造装置が動作しないように前記製造装置を制御した後に、受け取った信号に応じて、前記製造装置が動作するように前記製造装置を制御することを特徴とする物品の製造装置。
【請求項５】
請求項１又は２に記載された物品の製造装置において、
前記可換部材は単数の可換部材又は複数の可換部材を含み、
前記単数の可換部材における所定の位置又は前記複数の可換部材のそれぞれにおける所定の位置に前記標識が設けられ、
前記読取部は受光部と導光部と画像取得部とを有し、
少なくとも前記受光部は前記所定の位置にそれぞれ対応して設けられることを特徴とする物品の製造装置。
【請求項６】
請求項１又は２に記載された物品の製造装置において、
前記可換部材は単数の可換部材又は複数の可換部材を含み、
前記単数の可換部材における所定の位置又は前記複数の可換部材のそれぞれにおける所定の位置に前記標識が設けられ、
前記読取部は受光部と導光部と画像取得部とを有し、
少なくとも前記受光部が移動することによって、前記受光部は前記単数の可換部材に対して使用されること又は前記複数の可換部材のそれぞれに対して共通して使用されることを特徴とする物品の製造装置。
【請求項７】
請求項６に記載された物品の製造装置において、
少なくとも前記受光部は、前記可換部材に前記材料を供給する機能、又は、前記可換部材から前記物品を搬出する機能のうち少なくともいずれかの機能を有する搬送機構に設けられ、
前記受光部は前記搬送機構によって前記所定の位置まで移動することを特徴とする物品の製造装置。
【請求項８】
請求項５〜７のいずれか１つに記載された物品の製造装置において、
前記画像取得部は前記単数の可換部材又は前記複数の可換部材から離れた位置において設けられ、
前記受光部と前記画像取得部とが前記導光部によって光学的に接続されることを特徴とする物品の製造装置。
【請求項９】
請求項１〜８のいずれか１つに記載された物品の製造装置において、
前記可換部材は単数の型又は複数の型を含むことを特徴とする物品の製造装置。
【請求項１０】
請求項１〜８のいずれか１つに記載された物品の製造装置において、
前記可換部材は少なくとも第１の型と前記第１の型に相対向する第２の型とを有し、
少なくとも前記第１の型と前記第２の型とを相対的に移動させる駆動機構とを備えることを特徴とする物品の製造装置。
【請求項１１】
請求項１〜１０のいずれか１つに記載された物品の製造装置において、
少なくとも前記可換部材が設けられた可換部材モジュールと、
前記材料を受け入れる受入モジュールとを備え、
前記可換部材モジュールは前記受入モジュールに対して着脱されることができ、
前記可換部材モジュールは他の可換部材モジュールに対して着脱されることができることを特徴とする物品の製造装置。
【請求項１２】
請求項１〜１１のいずれか１つに記載された物品の製造装置において、
前記標識に形成された前記パターンは、電鋳加工によって形成されたパターンを含むことを特徴とする物品の製造装置。
【請求項１３】
請求項１〜１２のいずれか１つに記載された物品の製造装置において、
前記パターンが形成された別部材からなる前記標識を備え、
前記別部材が前記可換部材に固定されることを特徴とする物品の製造装置。
【請求項１４】
製造装置を使用することによって材料から物品を製造する物品の製造方法であって、
前記製造装置に含まれ製造される前記物品の種類に応じて交換される少なくとも１つの可換部材を準備する工程と、
前記可換部材において設けられた標識を準備する工程と、
読取部を使用して、前記標識に予め形成されたパターンを光学的に読み取る工程と、
読み取られた前記パターンに基づいて、前記可換部材を特定する情報を含む第１の情報を得る工程と、
前記可換部材を特定する情報を少なくとも含む予め記憶された第２の情報を読み出す工程と、
前記第１の情報と前記第２の情報とを比較して判別を行う工程と、
前記判別の結果に基づいて前記第２の情報に対して前記可換部材が適合する場合には、前記製造装置が動作するように前記製造装置を制御する工程と、
前記判別の結果に基づいて前記可換部材が前記第２の情報に対して適合しない場合には、前記第２の情報に対して前記可換部材が適合しないことを前記製造装置が示すように前記製造装置を制御する工程とを備えることを特徴とする物品の製造方法。
【請求項１５】
請求項１４に記載された物品の製造方法において、
前記判別の結果に基づいて前記第２の情報に対して前記可換部材が適合する場合には、前記可換部材を使用して製造された物品の履歴に関する情報を追跡する工程を更に備えることを特徴とする物品の製造方法。
【請求項１６】
請求項１４又は１５に記載された物品の製造方法において、
前記判別の結果に基づいて前記可換部材が前記第２の情報に対して適合しない場合には、前記製造装置が動作しないように前記製造装置を制御する工程を備えることを特徴とする物品の製造方法。
【請求項１７】
請求項１６に記載された物品の製造方法において、
前記製造装置が動作しないように前記製造装置を制御した後に、受け取った信号に応じて前記製造装置が動作するように前記製造装置を制御する工程を備えることを特徴とする物品の製造方法。
【請求項１８】
請求項１４又は１５に記載された物品の製造方法において、
前記読取部に受光部と導光部と画像取得部とを準備する工程を備え、
前記可換部材は単数の可換部材又は複数の可換部材を含み、
前記単数の可換部材における所定の位置又は前記複数の可換部材のそれぞれにおける所定の位置に前記標識が設けられ、
前記パターンを光学的に読み取る工程においては、前記単数の可換部材に対して設けられた前記受光部又は前記複数の可換部材のそれぞれに対して設けられた前記受光部を使用して前記パターンを光学的に読み取ることを特徴とする物品の製造方法。
【請求項１９】
請求項１４又は１５に記載された物品の製造方法において、
前記読取部に受光部と導光部と画像取得部とを準備する工程を備え、
前記可換部材は単数の可換部材又は複数の可換部材であり、
前記単数の可換部材における所定の位置又は前記複数の可換部材のそれぞれにおける所定の位置に前記標識が設けられ、
前記パターンを光学的に読み取る工程においては、前記単数の可換部材に対して設けられた前記受光部を移動させることによって又は前記複数の可換部材に対して共通して使用されるように設けられた前記受光部を移動させることによって前記パターンを光学的に読み取ることを特徴とする物品の製造方法。
【請求項２０】
請求項１９に記載された物品の製造方法において、
前記受光部と前記導光部と前記画像取得部とを準備する工程は、
前記単数の可換部材又は前記複数の可換部材から離れた位置において前記画像取得部を準備する工程と、
前記可換部材に前記材料を供給する機能、又は、前記可換部材から前記物品を搬出する機能のうち少なくともいずれかの機能を有する搬送機構において、前記受光部を準備する工程と、
前記受光部と前記画像取得部とを光学的に接続する前記導光部を準備する工程とを有し、
前記パターンを光学的に読み取る工程においては、前記搬送機構を移動させることによって前記所定の位置まで前記受光部を移動させることを特徴とする物品の製造方法。
【請求項２１】
請求項１８〜２０のいずれか１つに記載された物品の製造方法において、
前記受光部と前記導光部と前記画像取得部とを準備する工程は、
前記単数の可換部材又は前記複数の可換部材から離れた位置において前記画像取得部を準備する工程と、
前記受光部と前記画像取得部とを光学的に接続する前記導光部を準備する工程とを有することを特徴とする物品の製造方法。
【請求項２２】
請求項１４〜２１のいずれか１つに記載された物品の製造方法において、
前記可換部材に含まれる単数の型又は複数の型を準備する工程を備えることを特徴とする物品の製造方法。
【請求項２３】
請求項１４〜２１のいずれか１つに記載された物品の製造方法において、
前記可換部材に含まれる第１の型と、前記可換部材に含まれ前記第１の型に相対向する第２の型とを準備する工程と、
少なくとも前記第１の型と前記第２の型とを相対的に移動させる駆動機構を制御する工程とを備えることを特徴とする物品の製造方法。
【請求項２４】
請求項１４〜２３のいずれか１つに記載された物品の製造方法において、
少なくとも前記可換部材が設けられた可換部材モジュールと、前記材料を受け入れる受入モジュールとを準備する工程を備え、
前記可換部材モジュールは前記受入モジュールに対して着脱されることができ、
前記可換部材モジュールは他の可換部材モジュールに対して着脱されることができることを特徴とする物品の製造方法。
【請求項２５】
請求項１４〜２４のいずれか１つに記載された物品の製造方法において、
前記標識を準備する工程において、電鋳加工によって形成されたパターンを含む前記標識を準備することを特徴とする物品の製造方法。
【請求項２６】
請求項１４〜２５のいずれか１つに記載された物品の製造方法において、
前記標識を準備する工程において、前記可換部材に固定された別部材からなる前記標識を準備することを特徴とする物品の製造方法。